(57)【要約】【課題】接合部の強度と引き剥がし性の両立を図ることができる吸収性物品を提供する。【解決手段】吸収体を含む吸収性本体１０と、吸収性本体１０の外面側に設けられ、着用時に人体の腹側に位置する腹側部Ｆ及び背側に位置する背側部Ｂを有する外装体２０と、を備え、外装体２０の腹側部Ｆと背側部Ｂとが、その両側端の接合部２１、２２においてヒートシール又は超音波シールによって接合されることにより腰周り開口部Ｗ及び左右一対の脚周り開口部Ｌが形成される吸収性物品１において、接合部２１、２２の腹側部Ｆと背側部Ｂとの間には、当該接合部２１、２２の接合強度を低減させる接合強度低減材が配置された強度低減領域部Ｔと、接合強度低減材が配置されていない非強度低減領域部Ｓと、を有する。【選択図】図１
2011072577.tif 000002
【特許請求の範囲】
【請求項１】
吸収体を含む吸収性本体と、
前記吸収性本体の外面側に設けられ、着用時に人体の腹側に位置する腹側部及び背側に位置する背側部を有する外装体と、
を備え、
前記外装体の前記腹側部と前記背側部とが、その両側端の接合部においてヒートシール又は超音波シールによって接合されることにより腰周り開口部及び左右一対の脚周り開口部が形成される吸収性物品において、
前記接合部の前記腹側部と前記背側部との間には、当該接合部の接合強度を低減させる接合強度低減材が配置された強度低減領域部と、前記接合強度低減材が配置されていない非強度低減領域部と、を有することを特徴とする吸収性物品。
【請求項２】
前記強度低減領域部と前記非強度低減領域部とが、前記接合部の長手方向に沿って交互に連続して設けられていることを特徴とする請求項１に記載の吸収性物品。
【請求項３】
前記強度低減領域部は、前記接合部の幅方向に沿って並列する、第１強度軽減部と第２強度軽減部とにより構成され、
前記第１強度軽減部は、前記接合部の上端部から下端部まで連続して設けられていることを特徴とする請求項１又は２に記載の吸収性物品。
【請求項４】
前記非強度低減領域部は、前記接合部の上端部及び／又は下端部に設けられていることを特徴とする請求項１〜３の何れか一項に記載の吸収性物品。
【請求項５】
前記接合強度低減材は、接着剤、紙、不織布、又は油剤を塗布した基材であることを特徴とする請求項１〜４の何れか一項に記載の吸収性物品。
【請求項６】
前記接合強度低減材には、所定の色彩が付加されていることを特徴とする請求項１〜５の何れか一項に記載の吸収性物品。
【発明の詳細な説明】
【技術分野】
【０００１】
本発明は、吸収性物品に関する。
【背景技術】
【０００２】
従来、吸収性物品の一つとして使い捨ての紙おむつが知られている。使い捨ての紙おむつとしては、パンツ型及びテープ式紙おむつが知られている。
このうちパンツ型紙おむつは、一般に、吸収体を含む吸収性本体と、この吸収性本体の外面側に一体的に設けられた外装シートと、を備え、製品状態で外装シートにおける腹側部と背側部とが、その両側端の接合部において接合されることによりウエスト開口部及び左右一対のレッグ開口部が形成されている。
このようなパンツ型使い捨ておむつは、接合部が、着用時には不用意に引き裂かれることがなく、また、廃棄時には容易に引き裂き分離が行われることが望ましい。
このため、例えば、外装シートの両側端部に積層される各シート間に接着剤を塗布することで接合強度を弱めるとともに、当該両側端部に積層されるシートの枚数に応じて接着剤の塗布量を異ならせることで接合強度を一定にする技術が提案されている（例えば、特許文献１参照。）。
【先行技術文献】
【特許文献】
【０００３】
【特許文献１】特開２００９−１４８４６５号公報
【発明の概要】
【発明が解決しようとする課題】
【０００４】
しかしながら、従来の方法は、接合強度を全体的低くすることで、引き剥がし性を向上させているに過ぎず、接合部の強度と引き剥がし性の両立を図ったものとは言えないものであった。
【０００５】
本発明の課題は、接合部の強度と引き剥がし性の両立を図ることができる吸収性物品を提供することである。
【課題を解決するための手段】
【０００６】
前記課題を解決するために、請求項１に記載の発明は、
吸収体を含む吸収性本体と、
前記吸収性本体の外面側に設けられ、着用時に人体の腹側に位置する腹側部及び背側に位置する背側部を有する外装体と、
を備え、
前記外装体の前記腹側部と前記背側部とが、その両側端の接合部においてヒートシール又は超音波シールによって接合されることにより腰周り開口部及び左右一対の脚周り開口部が形成される吸収性物品において、
前記接合部の前記腹側部と前記背側部との間には、当該接合部の接合強度を低減させる接合強度低減材が配置された強度低減領域部と、前記接合強度低減材が配置されていない非強度低減領域部と、を有することを特徴とする。
【０００７】
請求項２に記載の発明は、請求項１に記載の吸収性物品において、
前記強度低減領域部と前記非強度低減領域部とが、前記接合部の長手方向に沿って交互に連続して設けられていることを特徴とする。
【０００８】
請求項３に記載の発明は、請求項１又は２に記載の吸収性物品において、
前記強度低減領域部は、前記接合部の幅方向に沿って並列する、第１強度軽減部と第２強度軽減部とにより構成され、
前記第１強度軽減部は、前記接合部の上端部から下端部まで連続して設けられていることを特徴とする。
【０００９】
請求項４に記載の発明は、請求項１〜３の何れか一項に記載の吸収性物品において、
前記非強度低減領域部は、前記接合部の上端部及び／又は下端部に設けられていることを特徴とする。
【００１０】
請求項５に記載の発明は、請求項１〜４の何れか一項に記載の吸収性物品において、
前記接合強度低減材は、接着剤、紙、不織布、又は油剤を塗布した基材であることを特徴とする。
【００１１】
請求項６に記載の発明は、請求項１〜５の何れか一項に記載の吸収性物品において、
前記接合強度低減材には、所定の色彩が付加されていることを特徴とする。
【発明の効果】
【００１２】
本発明によれば、外装体の腹側部と背側部とが、その両側端の接合部においてヒートシール又は超音波シールによって接合されることにより腰周り開口部及び左右一対の脚周り開口部が形成される吸収性物品において、接合部の腹側部と背側部との間には、当該接合部の接合強度を低減させる接合強度低減材が配置された強度低減領域部と、接合強度低減材が配置されていない非強度低減領域部と、を有する。
従って、着用時には接合強度の強い領域によって、不用意に接合部が引き裂かれてしまうのを防止できるとともに、意図的に引き剥がす時には接合強度の弱い領域が切り口となって容易に引き裂くことができるため、接合部の強度と引き剥がし性の両立を図ることができる。
【図面の簡単な説明】
【００１３】
【図１】第１実施形態の紙おむつの製品状態外観図である。
【図２】図１の紙おむつの分解斜視図である。
【図３】図１の紙おむつの外装体の展開図である。
【図４】図１の紙おむつの吸収性本体の平面図である。
【図５】図３のＶ−Ｖ線における断面図である。
【図６】（ａ）は、図１の紙おむつの接合部を示す拡大模式図であり、（ｂ）は、着色した状態を示した図である。
【図７】変形例１における紙おむつの接合部を示した図である。
【図８】変形例２における紙おむつの接合部を示した図である。
【図９】変形例３における紙おむつの接合部を示した図である。
【図１０】変形例４における紙おむつの接合部を示した図である。
【図１１】変形例５における紙おむつの接合部を示した図である。
【発明を実施するための形態】
【００１４】
以下、本発明の実施形態を、図面を用いて詳細に説明する。ただし、発明の範囲は、図示例に限定されない。
また、本実施の形態においては、吸収性物品としてパンツ型使い捨て紙おむつ（以下、「紙おむつ」という。）を例示して説明する。
【００１５】
図１から図５に示すように、紙おむつ１は、吸収体１３を含む吸収性本体１０と、この吸収性本体１０の外面側に設けられ、着用時に人体の腹側に位置する腹側部Ｆ及び背側に位置する背側部Ｂを有する外装体２０と、を備えている。
この紙おむつ１は、外装体２０の腹側部Ｆと背側部Ｂとが、その両側端の接合部（２１、２２）において接合されることにより腰周り開口部Ｗ、左右一対の脚周り開口部Ｌが形成されるとともに、左右一対の脚周り開口部Ｌの間に股下部Ｍが形成されるようになっている。
【００１６】
紙おむつ１は、図２に示すように、外装体２０の紙おむつ着用時の身体側となる内面に、吸収性本体１０の外面側がホットメルト等の接着剤によって接着されて、吸収性本体１０と外装体２０が一体化される。そして、外装体２０の股下部Ｍを吸収性本体１０とともに折り曲げるようにして外装体２０の腹側部Ｆと背側部Ｂを折り重ね、接合部２１と接合部２２を左右同士でヒートシール又は超音波シールによって接合することにより、図１に示す、紙おむつ１に組み立てられる。
【００１７】
（吸収性本体）
吸収性本体１０は、図４、図５に示すように、不織布などからなる透液性表面シート１１と、ポリエチレン等からなる防水シート１２との間に、綿やパルプ等の吸収性素材や、繊維或いはフィルム等のシート状基材と高吸水性樹脂とが組み合わされて形成された吸収体１３を介在させた構造を有しており、体液としての尿等の水様成分を吸収保持するものである。
この吸収性本体１０は、外装体２０の腹側部Ｆから背側部Ｂに亘り、当該吸収性本体１０よりも幅方向外側に延出するように形成される股下部Ｍに備えられており、当該吸収性本体１０の幅方向の両端部には、長手方向に延在する左右一対の立体ギャザーＢＳが備えられている。
【００１８】
吸収体１３は、例えば、平面視略砂時計形状を有するように成形されており、その幅寸法は着用者の身体に当たる際にゴワ付き感を与えないサイズとなっている。
なお、吸収体１３は、形状保持と透液性表面シート１１を透過した体液の拡散性の向上のためにクレープ紙（図示省略。）によって囲繞することとしても良い。
【００１９】
吸収体１３の表面側（肌当接面側）を覆う透液性表面シート１１を形成する不織布の素材としてとしては、天然繊維、合成繊維のいずれを用いても良い。天然繊維の例としては、綿、セルロース（木材パルプ）、羊毛、絹等が挙げられる。また合成繊維としては、ポリプロピレン（ＰＰ）、ポリエチレン（ＰＥ）、ナイロン、ポリエステル（ＰＥＴ）、アクリル等が挙げられ、またＰＥ／ＰＰ混合不織布、ＰＥ／ＰＥＴ混合不織布、また、上記素材を適宜組み合わせたバイコンポーネント繊維（混合繊維）も用いることができる。
また、これらの繊維性素材から不織布を製造する方法としては、公知の方法を適宜用いることができ、例えば、ケミカルボンド、サーマルボンド、スパンレース等のいずれの方法を用いてもよく、また合成繊維等では、スパンボンド法、メルトブロー法、またこれらと上記の接着方法の組み合わせ等、いずれの方法を用いて製造しても良い。
これらの加工法のうち、スパンレース法による不織布は柔軟性、ドレープ性に富む点で優れ、サーマルボンド法による不織布は嵩高でソフトである点で優れている。
また、透液性表面シート１１に多数の透孔を形成した場合には、尿などが速やかに吸収されるようになり、ドライタッチ性に優れたものとなる。
【００２０】
吸収体１３の裏面側（非肌当接面側）を覆う防水シート１２は、遮水性を有し、吸収体１３を通過した水様成分が外装体２０側に漏れることを防止する働きをなすものであり、例えば、ポリエチレンまたはポリプロピレンなどの不透液性プラスチックシートが用いられる。また、ムレ防止の点から透湿性を有するものが好適に用いられる。この遮水・透湿性シートは、例えば、ポリエチレンやポリプロピレン等のオレフィン樹脂中に無機充填材を溶融混練してシートを形成した後、一軸または二軸方向に延伸することにより得られる微多孔性シートである。微多孔性シートであれば、仮にシート厚が同じである場合に、無孔シートよりも剛性が低下するため、柔軟性の点でも勝るものとなる。
かかる防水シート１２としては、排便や尿などの褐色が視認しにくいように不透明なものを用いることが好ましい。防水シート１２の不透明化としては、オレフィン樹脂やプラスチック中に、炭酸カルシウム、酸化チタン、酸化亜鉛、ホワイトカーボン、クレイ、タルク、硫酸バリウムなどの顔料や充填材を添加してフィルム化したものが好適に使用される。
【００２１】
立体ギャザーＢＳは、不透液性のギャザー不織布１５を二つ折りにしてその基端部にて防水シート１２の側縁部を挟みこみ、折り合わされた面を、例えば、ホットメルトや、ヒートシール、超音波シール等により固着させることにより形成されている。折り返しによって二重にされたギャザー不織布１５の基端部の上面側には、透液性表面シート１１の側縁部が接着されている。
また、ギャザー不織布１５は、吸収性本体１０の長手方向中間部においては、立体ギャザーＢＳを形成する自由端部（起立端部）となっており、長手方向前後端部においては、吸収性本体１０の上面側に内側に折り畳まれてホットメルト接着剤等により接着された固定部となっている。
【００２２】
また、ギャザー不織布１５の起立先端部には、複数本の糸状弾性伸縮部材１６・・・が配設されている。糸状弾性伸縮部材１６・・・は、弾性伸縮力によりギャザー不織布１５を起立させて立体ギャザーＢＳとするためのものである。
【００２３】
また、ギャザー不織布１５を構成する素材繊維は、上記した透液性表面シート１１を形成する不織布と同様の素材から構成され、また、これら不織布の製造方法もほぼ等しくなっているが、特に、ムレを防止するために秤量を抑えて通気性に優れた不織布を用いることが好ましい。さらに、ギャザー不織布１５については、尿などの透過を防止するとともに、カブレを防止し且つ肌への感触性（ドライ感）を高めるために、シリコン系、パラフィン金属系、アルキルクロミッククロイド系撥水材などをコーティングした撥水処理不織布を用いてもよい。
【００２４】
（外装体）
外装体２０は、図１から図５に示すように、当該外装体２０を形造る外層シート２０Ａを備えている。外層シート２０Ａは、上層不織布２０ａと下層不織布２０ｂとの２枚の不織布を貼着して構成され、上層不織布２０ａ及び下層不織布２０ｂの間には、後述する各種の糸状の弾性部材が配設されて、伸縮性が付与されるようになっている。
また、外層シート２０Ａの内側（肌当接面側）には、腹側部Ｆ及び背側部Ｂにおいて、上層不織布２０ａの上面に胴周りシート２０Ｂ、２０Ｂが備えられ、良好な着用感を実現するようになっている。
この外装体２０は、その中間両側部にそれぞれ脚周り開口部Ｌを設けるための凹状の脚周りカットライン２３が形成され、紙おむつ１の着用者の股下周囲を覆う股下部Ｍと、股下部Ｍの前端側に位置し着用者の腹部を覆う腹側部Ｆと、股下部Ｍの後端側に位置し着用者の背部を覆う背側部Ｂと、を有しており、その平面形状は全体として擬似砂時計形状を成している。
【００２５】
腹側部Ｆの幅方向両端部には、背側部Ｂと接合するための接合部２１が形成されており、背側部Ｂの幅方向両端部には、腹側部Ｆと接合するための接合部２２が形成されている。
接合部２１、２２は、それぞれ腹側部Ｆと背側部Ｂにおいて、腰周り開口部Ｗの開口端部側から脚周りカットライン２３を有する脚周り開口部Ｌに亘る上下方向に所定の幅を有している。
なお、接合部２１、２２において、腰周り開口部Ｗの開口端部から脚周り開口部Ｌに至る方向を、接合部２１、２２の長手方向とし、当該長手方向に直交する方向を接合部２１、２２の幅方向とする。
この接合部２１と接合部２２とは、左右同士でヒートシール又は超音波シールによって接合されている。
接合された接合部２１、２２の間には、接合強度を低減させる接合強度低減材としてホットメルト等の接着剤３０が配置されてなる強度低減領域部Ｔと、接着剤３０が配置されていない非強度低減領域部Ｓと、が形成されている。
即ち、接合部２１、２２の間に、接着剤３０を挟むことによって、その接着剤３０を挟んだ領域の接合強度を、ヒートシール又は超音波シールによって接合された領域の接合強度より弱くするようになっている。
【００２６】
具体的には、図６（ａ）に示すように、強度低減領域部Ｔは、接合部２１、２２において、腰周り開口部Ｗから脚周り開口部Ｌに亘る領域の中間部に設けられ、非強度低減領域部Ｓは、接合部２１、２２の上端部（腰周り開口部Ｗ側の端部）及び下端部（脚周り開口部Ｌ側の端部）に設けられている。
従って、腰周り開口部Ｗ及び脚周り開口部Ｌ近傍は、非強度低減領域部Ｓのために強度が強くなっており、その中間部は強度低減領域部Ｔのために強度が弱くなっている。
強度低減領域部Ｔは、紙おむつ１の廃棄時において、引き裂き分離が容易に行えるように切り口として機能させるものである。一方、非強度低減領域部Ｓは、紙おむつ１の着用時において、紙おむつ１が不用意に引き裂かれることがないよう強度を維持するためのものである。
なお、強度低減領域部Ｔ及び非強度低減領域部Ｓの形状や、接着剤塗布面積は、接着剤の種類や量に応じて適宜設定可能である。
【００２７】
なお、接合強度低減材としての接着剤３０に、図６（ｂ）に示すように、所定の色彩を付加することが好ましい。
使用される色は特に限定されないが、例えば、青、緑、オレンジ、等の濃色、或いはピンク等の淡色のうち１又は複数の色を用いることができる。これによって、紙おむつ１のデザイン性を向上させることができる。
【００２８】
また、接合強度低減材として、接着剤の代わりに、例えば紙、不織布、油剤を塗布した基材等を用いることもできる。
ヒートシールや超音波シールによって接合されている接合部２１、２２に、紙、不織布を挟み込んだ場合、接着剤と比較して、接合強度をより低減させることができる。
また、当該接合部２１、２２に、油剤を塗布した基材を挟み込んだ場合、接着剤と比較して、接合強度をより低減させることができると共に、その挟み込んだ領域に油剤が含浸するため柔軟性及び滑らかさを持たせることができる。
また、接合強度低減材として、接着剤、紙、不織布、油剤を塗布した基材のうち複数を選択して同時に使用することもできる。
【００２９】
また、外装体２０は、腹側部Ｆ及び背側部Ｂのそれぞれにおいて、腰周り開口部Ｗの開口端部側（上側）に配置される複数のウエスト弾性部材２４・・・と、腹側部Ｆ及び背側部Ｂのそれぞれにおいて、一方の接合部２１、２２から他方の接合部２１、２２に亘り、腰周りに沿う方向に延在するよう配設された複数の腰周り弾性部材２５・・・と、腹側部Ｆ及び背側部Ｂのそれぞれにおいて、接合部２１、２２から脚周り開口部Ｌの脚周りカットライン２３（縁部）に沿って股下部Ｍ側に延びるように配設された複数の脚周り弾性部材２６・・・と、を備えている。
【００３０】
ウエスト弾性部材２４は、腹側部Ｆと背側部Ｂとが接合される接合部２１、接合部２２の上下方向の幅である範囲のうち、腰周り開口部Ｗの近傍において上下方向に間隔をおいて配設された複数条の糸ゴム状弾性部材であり、身体のウエスト部周りを締め付けるように伸縮力を付与し、紙おむつ１を身体に装着するためのものである。
【００３１】
腰周り弾性部材２５は、腹側部Ｆと背側部Ｂとのそれぞれにおいて、ウエスト弾性部材２４より股下部Ｍ側に上下方向に所定の間隔をおいて互いに略平行に配設された複数条の糸ゴム状の弾性伸縮部材であり、腹側部Ｆ及び背側部Ｂの腰周り部分を締め付けるように伸縮力を付与する。この複数の腰周り弾性部材２５・・・は、外装体２０に所定の幅、範囲に亘って配設されることにより、腹側部Ｆや背側部Ｂの全面を身体により密着させるようになっている。
【００３２】
脚周り弾性部材２６は、腹側部Ｆ及び背側部Ｂにおいて、腰周り弾性部材２５とは別に配設された複数本の糸ゴム状の弾性伸縮部材である。この複数の脚周り弾性部材２６・・・は、外装体２０に所定の幅、範囲に亘って配設されることにより、外装体２０の脚周り部分を身体に密着させる。
具体的に、脚周り弾性部材２６は、腹側部Ｆ及び背側部Ｂの一方の接合部２１、２２から、ほぼ脚周りカットライン２３に沿うように股下部Ｍ側に延び、その股下部Ｍを迂回するようにして、他方側の脚周りカットライン２３にほぼ沿いながら他方の接合部２１、２２に到達するように配設されている。
【００３３】
以上のように、本実施形態の紙おむつ１によれば、接合部２１、２２の腹側部Ｆと背側部Ｂとの間に、当該接合部２１、２２の接合強度を低減させる接合強度低減材としての接着剤３０が配置された強度低減領域部Ｔと、接合強度低減材が配置されていない非強度低減領域部Ｓと、を有する。
よって、着用時においては、紙おむつ１を例えば上下させた場合にも非強度低減領域部Ｓにより必要な強度が保たれるため、不用意に引き裂かれることがなく、廃棄時においては、強度低減領域部Ｔが切り口として作用するため、引き裂き分離が容易に行えることとなる。
即ち、接合強度の強い領域と、弱い領域とを形成することができるため、接合部２１、２２の強度と引き剥がし性の両立を図ることができる。
【００３４】
また、本実施形態の紙おむつ１によれば、非強度低減領域部Ｓは、接合部２１、２２の上端部及び下端部に設けられているため、上端部や下端部に力が掛かっても裂けづらく、強度を有する構成とすることができる。
【００３５】
また、本実施形態の紙おむつ１によれば、接合強度低減材として、接着剤、紙、不織布、又は油剤を塗布した基材であるため、汎用性の高い材質を適宜利用し、接合部２１、２２の接合強度を調整することができる。
【００３６】
また、本実施形態の紙おむつ１によれば、接合強度低減材には、所定の色彩が付加されているため、強度低減領域部Ｔに色彩が施されることとなってデザイン性を向上させることができる。
【００３７】
＜変形例１＞
上記実施形態において、図７に示すように、強度低減領域部Ｔを、接合部２１、２２の上端部（腰周り開口部Ｗ側の端部）及び下端部（脚周り開口部Ｌ側の端部）に設け、非強度低減領域部Ｓを、接合部２１、２２において、腰周り開口部Ｗから脚周り開口部Ｌに亘る領域の中間部に設けることとしても良い。
変形例１によれば、強度低減領域部Ｔが接合部２１、２２の上端部及び下端部に設けられているため、上端部及び下端部に力を加えた場合に引き裂きやすい構成とすることができる。
【００３８】
＜変形例２＞
上記実施形態において、図８（ａ）（ｂ）に示すように、強度低減領域部Ｔと非強度低減領域部Ｓとを、接合部２１、２２の長手方向に沿って交互に連続して設けられること、即ち、強度低減領域部Ｔを間欠に設けることとしても良い。
このとき、強度低減領域部Ｔと非強度低減領域部Ｓとのそれぞれの面積は適宜変更可能である。従って、強度低減領域部Ｔと非強度低減領域部Ｓとを、図８（ａ）に示すように、同形状（同じ長さ）で交互に連続して設けてもよいし、図８（ｂ）に示すように、一方が他方より大きくなるように設けることとしても良い。
変形例２によれば、接合部２１、２２の部分的な接合強度の調整を好適に行うことができる。
【００３９】
＜変形例３＞
上記実施形態において、図９（ａ）（ｂ）に示すように、強度低減領域部Ｔを、接合部２１、２２の幅方向に沿って並列する、第１強度軽減部Ｔ１と第２強度軽減部Ｔ２とにより構成し、第１強度軽減部Ｔ１と第２強度軽減部Ｔ２との何れか一方を、接合部２１、２２の上端部から下端部まで連続して設けることとしても良い。
つまり、例えば、図９（ａ）に示すように、第１強度軽減部Ｔ１の上部及び下部に、非強度低減領域部Ｓを設け、第２強度軽減部Ｔ２を、接合部２１、２２の上端部から下端部まで連続して設けることとしても良いし、図９（ｂ）に示すように、第２強度軽減部Ｔ２の上部及び下部に、非強度低減領域部Ｓを設け、第１強度軽減部Ｔ１を、接合部２１、２２の上端部から下端部まで連続して設けることとしても良い。
また、図示は省略するが、第１強度軽減部Ｔ１と第２強度軽減部Ｔ２との間に、間隙を挟むこととしても良い。
変形例３によれば、第１強度軽減部Ｔ１及び第２強度軽減部Ｔ２の長さを調整することで接合部２１、２２の部分的な接合強度の調整を好適に行うことができる。
また、第１強度軽減部Ｔ１及び第２強度軽減部Ｔ２の何れか一方が、接合部２１、２２の上端部から下端部まで連続して設けられているため、紙おむつのサイドから体液が漏れるのを防止することができる。
【００４０】
＜変形例４＞
上記実施形態において、図１０（ａ）（ｂ）に示すように、第１強度軽減部Ｔ１と第２強度軽減部Ｔ２との何れか一方が、接合部２１、２２の上端部から下端部まで連続して設けられ、他方が間欠に設けられていることとしても良い。
つまり、図１０（ａ）に示すように、第２強度軽減部Ｔ２が上端部から下端部まで連続して設けられ、第１強度軽減部Ｔ１が間欠に設けられていることとしても良いし、図１０（ｂ）に示すように、第１強度軽減部Ｔ１が上端部から下端部まで連続して設けられ、第２強度軽減部Ｔ２が間欠に設けられていることとしても良い。
また、図示は省略するが、第１強度軽減部Ｔ１と第２強度軽減部Ｔ２との間に、間隙を挟むこととしても良い。
変形例４によれば、第１強度軽減部Ｔ１及び第２強度軽減部Ｔ２の長さを調整することで接合部２１、２２の部分的な接合強度の調整をより好適に行うことができる。
また、第１強度軽減部Ｔ１及び第２強度軽減部Ｔ２の何れか一方が、接合部２１、２２の上端部から下端部まで連続して設けられているため、紙おむつのサイドから体液が漏れるのを防止することができる。
【００４１】
＜変形例５＞
上記実施形態において、図１１（ａ）（ｂ）に示すように、非強度低減領域部Ｓを、接合部２１、２２の上端部又は下端部の何れか一方に設けることとしても良い。
つまり、図１１（ａ）に示すように、非強度低減領域部Ｓを、接合部２１、２２の下端部に設けられても良いし、図１１（ｂ）に示すように、接合部２１、２２の上端部に設けられても良い。
なお、このとき、強度低減領域部Ｔと非強度低減領域部Ｓとのそれぞれの面積（長さ）は適宜変更可能である。
変形例５によれば、強度低減領域部Ｔが接合部２１、２２の上端部又は下端部に設けられているため、接合部２１、２２の端部に力を加えた場合に引き裂きやすい構成とすることができる。
特に、図１１（ａ）のように、強度低減領域部Ｔを上端部に設けた場合、接着剤３０が脚周りに存在しないため、脚周りのごわつきをなくし、着用感を良好にすることができる。
【００４２】
また、本発明は、上記した実施の形態のものに限るものではなく、その要旨を逸脱しない範囲で適宜変更可能である。
例えば、図示は省略するが、変形例２において、強度低減領域部Ｔを菱形に形成し、この菱形の強度低減領域部Ｔが、接合部２１、２２の長手方向に沿って連続して設けられることとしても良い。この場合、特に、上下に位置する菱形の先端部を重ねるようにして、接合部２１、２２の全体に亘って強度低減領域部Ｔが連続するように配置することで、接合部２１、２２の部分的な接合強度の調整を好適に行うことができると共に、強度低減領域部Ｔが接合部２１、２２の全体に亘って連続して設けられているため、紙おむつのサイドから体液が漏れるのを防止することができる。
【００４３】
また、図示は省略するが、変形例４において、第１強度軽減部Ｔ１及び第２強度軽減部Ｔ２の両者とも、接合部２１、２２の上端部から下端部まで間欠に設けられていることとしても良い。また、この場合、第１強度軽減部Ｔ１と第２強度軽減部Ｔ２とを、互い違いに配置することとしても良い。
【符号の説明】
【００４４】
１  吸収性物品（紙おむつ）
１０  吸収性本体
１１  透液性表面シート
１２  防水シート
１３  吸収体
１５  ギャザー不織布
１６  糸状弾性伸縮部材
２０  外装体
２０Ａ  外層シート
２０Ｂ  胴周りシート
２０ａ  上層不織布
２０ｂ  下層不織布
２１、２２  接合部
２３  カットライン
２４  ウエスト弾性部材
２５  腰周り弾性部材
２６  脚周り弾性部材
Ｆ  腹側部
Ｂ  背側部
Ｍ  股下部
ＢＳ  立体ギャザー
Ｗ  腰周り開口部
Ｌ    脚周り開口部
Ｔ  強度低減領域部
Ｓ  非強度低減領域部
【図１】
2011072577.tif 000003
【図２】
2011072577.tif 000004
【図３】
2011072577.tif 000005
【図４】
2011072577.tif 000006
【図５】
2011072577.tif 000007
【図６】
2011072577.tif 000008
【図７】
2011072577.tif 000009
【図８】
2011072577.tif 000010
【図９】
2011072577.tif 000011
【図１０】
2011072577.tif 000012
【図１１】
2011072577.tif 000013